(57)【要約】【課題】  現場で路面を掘削するような施工を行わずとも、予め形成した本発明に係る装置を現場まで搬送して配設するだけで施工を行うことができ、これにより、非常に簡易且つコスト安に施工を行うことができる極めて実用性に秀れた発熱装置を提供することを目的としている。【解決手段】  コンクリート製の基体１に通電により発熱する発熱体２を埋設した融雪装置であって、前記基体１を敷き並べ可能なパネル状に形成し、前記基体１には取手部３を設けて持ち運び自在に構成した発熱装置。【選択図】      図１
2005325576.tif 000002
【特許請求の範囲】
【請求項１】
コンクリート製の基体に通電により発熱する発熱体を埋設した発熱装置であって、前記基体を敷き並べ可能なパネル状に形成し、前記基体には取手部を設けて持ち運び自在に構成したことを特徴とする発熱装置。
【請求項２】
前記発熱体として電熱線を採用し、この電熱線を前記基体に複数並設状態に埋設し、この複数の電熱線は別個に通電可能とし、この複数の電熱線のうち所定の電熱線を選択して通電することで、前記基体の加熱度合いを調節し得るように構成したことを特徴とする請求項１記載の発熱装置。
【請求項３】
前記電熱線を前記基体に一様に埋設したことを特徴とする請求項１，２のいずれか１項に記載の発熱装置。
【請求項４】
融雪装置として用いることを特徴とする請求項１〜３のいずれか１項に記載の発熱装置。
【発明の詳細な説明】
【技術分野】
【０００１】
本発明は、例えば融雪装置などとして使用される発熱装置に関するものである。
【背景技術】
【０００２】
従来、融雪装置としては、例えば、地下水を汲み上げて路面上にこの地下水を放出することで前記路面に降る（積もった）雪を溶かそうとするもの（所謂消雪パイプ）や、路面下に融雪パイプを埋め込みこの融雪パイプに温水を循環させて路面を温めることで前記路面に降る雪を溶かそうとするものがある。
【発明の開示】
【発明が解決しようとする課題】
【０００３】
ところで、前述の消雪パイプの配設は、路面にパイプを埋設するための所定深さの溝穴を掘削形成し、この掘削形成した溝穴にパイプを、このパイプに形成された地下水を放出するための孔が路面から露出した状態となるようにして埋設することで行われる。
【０００４】
一方、路面下に融雪パイプを埋め込む融雪装置の配設についても、路面に融雪パイプを埋設するための溝穴を掘削形成し、この掘削形成した溝穴にパイプを埋設することで行われる。
【０００５】
即ち、前述の融雪装置のいずれも、装置を配設するために、現場で地面を掘削してパイプを埋設するといった大掛かりな施工が必要であり、これにより、施工にコストと時間がかかってしまう。
【０００６】
従って、従来は、融雪装置を手軽にコスト安で設置できないという問題点がある。
【０００７】
本発明は、上記問題点に鑑みて成されたものであって、例えば路面を掘削して溝穴を形成するといった大掛かりな施工が不要であることは勿論、現場での施工がほとんど必要なく、また、地下水を汲み上げる装置やボイラー，循環ポンプなどの装置も必要とせず、単に所望する部位に載置して通電するだけで秀れた発熱作用を発揮することができる極めて実用性に秀れた発熱装置を提案することを目的としている。
【課題を解決するための手段】
【０００８】
添付図面を参照して本発明の要旨を説明する。
【０００９】
コンクリート製の基体１に通電により発熱する発熱体２を埋設した発熱装置であって、前記基体１を敷き並べ可能なパネル状に形成し、前記基体１には取手部３を設けて持ち運び自在に構成したことを特徴とする発熱装置に係るものである。
【００１０】
また、前記発熱体２として電熱線２を採用し、この電熱線２を前記基体１に複数並設状態に埋設し、この複数の電熱線２は別個に通電可能とし、この複数の電熱線２のうち所定の電熱線２を選択して通電することで、前記基体１の加熱度合いを調節し得るように構成したことを特徴とする請求項１記載の発熱装置に係るものである。
【００１１】
また、前記電熱線２を前記基体１に一様に埋設したことを特徴とする請求項１，２のいずれか１項に記載の発熱装置に係るものである。
【００１２】
また、融雪装置として用いることを特徴とする請求項１〜３のいずれか１項に記載の発熱装置に係るものである。
【発明の効果】
【００１３】
本発明は上述のように構成したから、例えば路面を掘削して溝を形成するといった大掛かりな施工が不要であることは勿論、現場での施工がほとんど必要がなく、また、地下水を汲み上げる装置やボイラー，循環ポンプなどの装置も必要とせず、単に所望する部位に載置して通電するだけで秀れた発熱作用を発揮することができる極めて実用性に秀れた発熱装置となる。
【００１４】
また、請求項２記載の発明においては、必要に応じて通電する電熱線を選択することで基体を所定の加熱度合いに設定でき、例えば、電熱線の加熱度合いを、基体に降る雪を溶かすに必要十分な加熱度合いに設定して、過剰なエネルギーをかけることなく、必要十分なランニングコストで融雪を行うことができるなど、極めて実用性に秀れた発熱装置となる。
【００１５】
また、請求項３記載の発明においては、基体を全体的に効率良く加熱することができ、これにより、例えば効率良く雪を溶かすことができるなど、極めて実用性に秀れた発熱装置となる。
【発明を実施するための最良の形態】
【００１６】
好適と考える本発明の実施形態（発明をどのように実施するか）を、図面に基づいて本発明の作用を示して簡単に説明する。
【００１７】
本発明は、通電により発熱する発熱体２が配設されたコンクリート製の基体１を持ち運び可能なパネル状に形成したことで、この基体１に設けた取手部３を介して前記基体１を所定の部位まで容易に持ち運んで配設し、前記発熱体２に通電することで前記基体１を加熱して、例えば前記所定部位に降る雪を簡易に溶かしたりすることができることとなる。
【００１８】
即ち、本発明は、路面を掘削してパイプを埋設するといった大掛かりな施工が不要なことは勿論、現場での施工をほとんど行わずとも、単に融雪したい部位まで基体１を持ち運んで配設して通電するだけで、この配設部位の雪を溶かすことができることとなる。
【００１９】
従って、本発明は、現場で路面を掘削するような施工を行わずとも、予め形成した本発明に係る装置を現場まで搬送して配設するだけで施工を行うことができ、これにより、非常に簡易且つコスト安に施工を行うことができる極めて実用性に秀れた融雪装置として使用することができる商品価値の高い発熱装置となる。
【００２０】
また、例えば、前記発熱体２として電熱線２を採用し、この電熱線２を前記基体１に複数並設状態に埋設し、この複数の電熱線２は別個に通電可能とし、この複数の電熱線２のうち所定の電熱線２を選択して通電することで、前記基体１の加熱度合いを調節し得るように構成すれば、必要に応じて通電する電熱線２を選択することで基体１を所定の加熱度合いに設定でき、例えば、電熱線２の加熱度合いを基体１に降る雪を溶かすのに必要十分な加熱度合いに設定することで、過剰なエネルギーをかけることなく、必要十分なランニングコストで融雪を行うことができることとなるなど、一層実用的となる。
【００２１】
また、前記電熱線２を前記基体１に一様に埋設すれば、基体１を全体的に効率良く加熱することができ、これにより、効率良く雪を溶かせることとなるなど、一層実用的となる。
【実施例】
【００２２】
本発明の具体的な実施例について図面に基づいて説明する。
【００２３】
本実施例は、コンクリート製の基体１に通電により発熱する発熱体２を埋設した発熱装置に関するものであり、前記基体１を敷き並べ可能なパネル状に形成し、前記基体１には取手部３を設けて持ち運び自在に構成したものに係るものである。
【００２４】
また、本発明に係る発熱装置は、前記発熱体２の発熱作用を利用して前記基体１に降る（積もる）雪を溶かす融雪装置として用いるものである。
【００２５】
基体１は、図１に示すように、コンクリートを方形状に形成して成る構成としている。
【００２６】
ここで、前記基体１の部材として採用したコンクリートは、熱容量が大きく、蓄熱性が高いという温度特性を有するものである。よって、前記コンクリートは昼間の暖かい時間帯に、暖かい外気に晒されて温熱蓄熱することにより、夜間から朝方にかけて外気が低くなり積雪量が増える時間帯においても、該コンクリートは外気よりも暖かい温度を保つことができるので、仮に前記発熱体２を発熱させていなくても、融雪作用を発揮することができるし、前記発熱体２を発熱させる場合にも、少ない発熱量で十分に融雪作用を発揮することができるなど、前記基体１の部材として非常に適したものである。
【００２７】
また、この基体１には、基体１を持ち運び移動するための取手部３を設けた構成としている。
【００２８】
この取手部３は、基体１の外面部に複数設けた構成としている。
【００２９】
具体的には、取手部３は、図１に示すように、長さ方向における左右側部に複数突設した構成としている。
【００３０】
更に具体的には、基体１の左右側部に夫々２箇所ずつ取手部３を突設している。尚、基体１が重量のある場合には、この取手部３にクレーン等の運搬機を連結して運搬し、軽量である場合には、この取手部３を直接握持して運搬する。
【００３１】
また、取手部３は、線材（鉄筋）で形成しており、前記コンクリートを方形状に固めて前記基体１を形成する際に、前記線材（鉄筋）を前記コンクリートに固定して、前記基体１と取手部３を一体形成して設けたものである。
【００３２】
即ち、本実施例では、図１に示すように、線材を略コ字状に湾曲させて取手線体３Ａを形成し、この取手線体３Ａの遊離両端部を基体１の左右側面に埋設した状態とすることで前記取手部３を形成した構成としている。また、本実施例では、取手線体３Ａの先端部を上方に向けて折曲した構成とすることで、例えばクレーン等の搬送機を用いて基体１を安定に持ち運びできる構成としている。
【００３３】
また、基体１はパネル状であることで、複数敷き並べ可能な構成となっている。
【００３４】
これにより、例えば融雪したい部位の面積が広い場合には、それに応じて本実施例に係る発熱装置を複数敷き並べることで、前記部位の雪を溶かせることとなる。
【００３５】
尚、前記取手部３の配設位置については、例えば基体１を敷き並べるのに不都合とならない位置に設けると良い。また、取手部３の突設度合いについても、基体１を敷き並べるのに不都合とならない位置に設けると良い。
【００３６】
この基体１には、発熱体２となる電熱線２が一様に埋設されている。
【００３７】
この電熱線２は、前記基体１に複数並設状態に設け、この複数の電熱線２は別個に通電可能とし、この複数の電熱線２のうち所定の電熱線２を選択して通電することで、前記基体１の加熱度合いを調節し得るように構成している。
【００３８】
即ち、電熱線２は基体１に少なくとも２回路以上の複数の独立した回路の状態で並設埋設し、この複数の独立した回路のうち所定の回路を選択して通電することで、基体１の加熱度合いを所定の温度に調節し得るように構成している。
【００３９】
具体的には、電熱線２は、図１，図２に示すように、方形状の基体１の一側部と他側部との間（図２における左右間）を、これと直交する方向（図２における上下方向）に所定間隔を置いて繰り返し蛇行配設した第一電熱線２Ａ（第一発熱体２Ａ）と、前記第一電熱線２Ａに対して交差しない状態で、この第一電熱線２Ａに並設される同じく蛇行配設した第二電熱線（第二発熱体２Ａ）とから構成している。
【００４０】
更に具体的には、第一電熱線２Ａと第二電熱線２Ｂとは、図２に示すように、平面から見て互いの蛇行湾曲部位同士が、所謂噛合係合状態となるように配設している。
【００４１】
また、第一電熱線２Ａ及び第二電熱線２Ｂには電源接続部５（所謂コンセント部５）を夫々別個に設けている。
【００４２】
本実施例では、家庭用電源から電気を供給できる構成としている。
【００４３】
また、本実施例は、第一電熱線２Ａ及び第二電熱線２Ｂの各々の発熱度合いを制御する温度制御機構（図示省略）を備えている。これにより、基体１を任意の温度に加熱できることとなる。
【００４４】
また、本実施例は、第一電熱線２Ａ及び第二電熱線２Ｂの各々への通電時間を制御するタイマー（図示省略）を備えている。これにより、第一電熱線２Ａ及び第二電熱線２Ｂへの通電時間を制御できることとなる。
【００４５】
また、本実施例は、基体１上に降る雪を感知する降雪センサ（図示省略）を備えている。これにより、常時第一電熱線２Ａ及び第二電熱線２Ｂに通電せずとも、降雪を感知した際に、自動的に第一電熱線２Ａ及び第二電熱線２Ｂに通電して基体１を加熱できることとなる。
【００４６】
尚、図３中符号４は、基体１を補強するワイヤーメッシュである。
【００４７】
これにより、本実施例は、先ず、融雪したい部位に本実施例に係る融雪装置を例えば敷き並べ設置してコンセント部を家庭用電源に接続し、降雪を感知すると第一電熱線２Ａ若しくは第二電熱線２Ｂに通電され、温度制御機構により基体１が所定温度に温度制御されて前記基体１に降る雪を溶かすこととなる。この際、基体１に降る（積もる）雪の量を前記降雪センサにより感知してこれに応じて電熱線２の加熱度合いを温度制御機構により制御することで、降雪量に応じた効率の良い融雪を行うことができる。また、タイマーによって第一電熱線２Ａ若しくは第二電熱線２Ｂへの通電時間を制御することで、所望する時間帯のみ融雪を行うこともできることとなる。
【００４８】
また、本実施例は、前記伝熱線２によって、効率良く基体１に降る（積もる）雪を融雪することができるように、基体１の底面に約１０ｍｍ〜２５ｍｍの断熱材を敷き、その上に基体１を設置している。これにより、前記伝熱線２の発熱が、基体１のコンクリートを伝わり底面から放熱してしまう、若しくは冷たい地熱によって基体１のコンクリートが冷却されてしまうことを防ぎ、基体１に降る（積もる）雪を一層効率よく融雪することができることとなる。
【００４９】
以上、本実施例は上述のように構成したから、路面を掘削して溝穴を形成したりするといった大掛かりな施工が不要なことは勿論、現場での施工をほとんど要せず、また、地下水を汲み上げる装置やボイラー，循環ポンプなどの装置も要せず、単に所望する部位に載置して家庭用電源に接続し通電するだけで、秀れた融雪作用を発揮することができる極めて実用性に秀れた発熱装置となる。
【００５０】
即ち、本実施例は、雪を溶かしたい部位まで持ち運んで載置し、電源を入れるだけで雪を溶かすことができるため、現場での施工がほとんど必要なく、これにより、従来に比して極めて簡易に配設可能な発熱装置となる。
【００５１】
また、基体１には、第一電熱線２Ａと第二電熱線２Ｂとが埋設されており、各々の電熱線２Ａ，２Ｂは独立して制御可能であるため、必要に応じて基体１の加熱度合いを調節することができる。
【００５２】
また、例えば、第一電熱線２Ａと第二電熱線２Ｂとを交互に加熱して基体１を温めることで、消費電力をなるべく低く抑えて電気代の低減を図ることができる。
【００５３】
また、基体１に設けた取手部３を介して前記基体１を容易に持ち運びできるため施工性に秀れる。
【００５４】
また、本実施例に係る発熱装置を敷き並べることで、より広い面積を良好に効率よく融雪することができる。この際、例えば駐車場のコンクリート路面上に砂を敷き、その上から本実施例に係る発熱装置を集密状態に敷き並べて、インターロッキング舗装を施すなども可能である。
【００５５】
即ち、本実施例は、埋設型でないため移動可能であり、現場施工ではなく加工工場での生産により工期短縮を実現でき、また、電熱線の２系統回路配設により消費電力の省力化を図ることができる。
【００５６】
尚、本実施例では、基体１を方形状に形成した構成としたが、基体を複数敷き並べることができれば、方形状以外の形状に形成しても良い。例えば、基体の一側部に凹部を形成し、この基体の他側部に凸部を形成し、隣接する基体の凹部と凸部とを係合することで基体１を複数敷き並べ可能とするような形状に形成しても良い。
【００５７】
また、本実施例では、本実施例に係る発熱装置を融雪装置として用いているが、これに限らず、前記発熱体２の発熱作用を利用して様々な用途に使用可能であり、例えば、前記基部１の上部にビニールハウスなどを設けるなどして家庭用園芸温床装置として用いても良く、また例えば、フローリング貼にすることによって床暖房として用いても良い。
【００５８】
また、本発明は、本実施例に限られるものではなく、各構成要件の具体的構成は適宜設計し得るものである。
【図面の簡単な説明】
【００５９】
【図１】本実施例の全体斜視図である。
【図２】本実施例の平断面図である。
【図３】本実施例の側断面図である。
【符号の説明】
【００６０】
１  基体
２  発熱体，電熱線
３  取手部
【図１】
2005325576.tif 000003
【図２】
2005325576.tif 000004
【図３】
2005325576.tif 000005